(57)【特許請求の範囲】
【請求項１】
什器本体の上方に離間する天板の下面の複数箇所に、外周面に雄ねじを有する調整軸を下向きに突設するとともに、前記什器本体における前記各調整軸と対向する上面に、前記調整軸が遊嵌される軸孔を備え、かつ軸孔の少なくとも一部を雌ねじ部とした操作部材を載置し、各操作部材の雌ねじ部に前記調整軸を螺合し、前記互いに対向する複数の操作部材を、前記什器本体の上面に固定した押え部材の両端部により回動自在に保持し、前記操作部材を前記調整軸回りに回転させて該調整軸を操作部材に対し上下方向に相対移動させることにより、前記天板の高さを調節しうるようにしたことを特徴とする天板の高さ調節装置。
【請求項２】
押え部材は、什器本体の上面に固定された水平片と、この水平片の長手方向の両端より起立する外向き倒立Ｌ字状断面の押さえ片とからなり、両押さえ片の水平をなす上片に調整軸を挿通させて、この上片の下面により、操作部材の上面を押さえるようにしたことを特徴とする請求項１に記載の天板の高さ調節装置。
【請求項３】
押え部材の水平片の下面における長手方向の複数箇所に、ナットを固着し、このナットを、什器本体の上面に設けた貫通孔の上端部に嵌合して、什器本体の上面を構成する部材の下方より貫通孔に挿入した固定ねじを前記ナットに螺合することにより、前記押え部材を什器本体の上面に固定したことを特徴とする請求項２に記載の天板の高さ調節装置。
【請求項４】
什器本体の上面に、操作部材の下端部が回動可能に嵌合される凹孔を設けたことを特徴とする請求項１ないし３のいずれかに記載の天板の高さ調節装置。
【請求項５】
操作部材に設けた軸孔の上端部を、非円形とし、この非円形の軸孔に回り止めして嵌合したナットを、雌ねじ部としたことを特徴とする請求項１ないし４のいずれかに記載の天板の高さ調節装置。
【発明の詳細な説明】
【技術分野】
【０００１】
本発明は、物品収納什器等の天板の高さ調節装置に関する。
【背景技術】
【０００２】
オフィス等において、例えば、キャビネット等の物品収納什器の天板の高さと、それに付帯して使用される机やテーブル等の天板の高さとを、互いに同一面に整合させ、広い作業面を形成することがしばしば行われる。本願の出願人は、前記物品収納什器の天板の高さを、机等の天板の高さに対応して容易に調節しうるようにした高さ調節装置を案出し、先に特許出願している（例えば、特許文献１及び２参照）。
【先行技術文献】
【特許文献】
【０００３】
【特許文献１】特許第３６９０５１５号公報
【特許文献２】特開２００９−９００３３号公報
【発明の概要】
【発明が解決しようとする課題】
【０００４】
前記特許文献１及び２に記載されている天板の高さ調節装置においては、いずれも、什器本体の上面に、天板の高さ調節分の深めの支持孔を設けて、この支持孔に、高さ調節用の支持ピンまたは調整軸の下部を嵌合しているので、支持孔の加工工数が増えるとともに、上面板の厚さを大とする必要があり、コスト高となる。
【０００５】
また、特許文献１に記載されている天板の高さ調節装置においては、天板を高さ調節可能に支持する支持ピンの一端部が、キャビネット本体の上面の凹孔または天板の下面の下向きの凹孔に回動可能に遊嵌したのみであるので、天板が上下方向にがたついたり、キャビネットを運搬する際などに天板がキャビネット本体より外れたりする恐れがある。
【０００６】
特許文献２に記載の天板の高さ調節装置においては、高さ調節用の調整軸に螺合された操作部材の上面が、什器本体の上面の係合孔に着脱可能に係合された抜け止め部材により押さえられ、什器本体の凹孔より離脱するのが阻止されているので、前述したような問題の発生する恐れはない。
【０００７】
しかし、抜け止め部材は、その弾性変形可能な１対の係合片の係合爪を什器本体の係合孔に弾性的に係合させて、什器本体の上面に取り付けられているので、係合片に何らかの外力が加わると、係合爪が係合孔から離脱して、抜け止め部材が外れる恐れがあり、さらなる改良が求められていた。
【０００８】
また、互いに対向する１対の係合片間に、操作部材の操作つまみ部が位置して、対向する外周面が係合片により覆われているので、操作つまみ部を指で回動操作する際に、指が係合片に当たり、操作部材の操作性が悪いという問題もある。
【０００９】
本発明は、このような問題点に着目してなされたもので、什器本体に、調整軸嵌合用の支持孔等を加工する必要がなく、かつ調整軸や操作部材を什器本体に確実に保持することにより、天板を什器本体により安定的に支持しうるようにし、さらに、操作部材の回動操作性を向上させることができるようにした天板の高さ調節装置を提供することを目的としている。
【課題を解決するための手段】
【００１０】
前記課題を解決するために、本発明の天板の高さ調節装置は、
什器本体の上方に離間する天板の下面の複数箇所に、外周面に雄ねじを有する調整軸を下向きに突設するとともに、前記什器本体における前記各調整軸と対向する上面に、前記調整軸が遊嵌される軸孔を備え、かつ軸孔の少なくとも一部を雌ねじ部とした操作部材を載置し、各操作部材の雌ねじ部に前記調整軸を螺合し、前記互いに対向する複数の操作部材を、前記什器本体の上面に固定した押え部材の両端部により回動自在に保持し、前記操作部材を前記調整軸回りに回転させて該調整軸を操作部材に対し上下方向に相対移動させることにより、前記天板の高さを調節しうるようにしたことを特徴としている。
この特徴によれば、什器本体の上面に載置した操作部材を回転させるだけで、操作部材の軸孔に遊嵌され、かつ雌ねじ部に螺合された調整軸が、操作部材に対して上下動し、天板の高さが調節されるので、什器本体の上面に、調整軸嵌合用の深い支持孔等を加工したり、什器本体の上面を構成する部材の厚さを大としたりする必要がなく、コスト低減が図れる。また、複数の操作部材及びそれに螺合された調整軸は、什器本体の上面に固定された押え部材の両端部により同時に、かつ確実に保持されるので、天板を什器本体に安定的に支持することができる。更に、操作部材は、押え部材に保持された部位以外の部位が大きく露出するようになり、指による操作部材の回動操作性が向上する。
【００１１】
本発明の天板の高さ調節装置は、
押え部材は、什器本体の上面に固定された水平片と、この水平片の長手方向の両端より起立する外向き倒立Ｌ字状断面の押さえ片とからなり、両押さえ片の水平をなす上片に調整軸を挿通させて、この上片の下面により、操作部材の上面を押さえるようにしたことを特徴としている。
この特徴によれば、操作部材は、その上面が倒立Ｌ字状断面の押え部材における水平片の両端より起立する外向きＬ字状断面の押さえ片における上片により押さえられ、操作部材の外周面における押え部材が配置される面以外の外周面が大きく露出するようになり、指による操作部材の回動操作性が向上する。また、押え部材の固定部位である水平片は、上片から離間して什器本体の上面に固定されるため、操作部材を操作しても、操作者の指が水平片に不用意に触れる虞がなくなり、押え部材が外れる虞がなくなる。
【００１２】
本発明の天板の高さ調節装置は、
押え部材の水平片の下面における長手方向の複数箇所に、ナットを固着し、このナットを、什器本体の上面に設けた貫通孔の上端部に嵌合して、什器本体の上面を構成する部材の下方より貫通孔に挿入した固定ねじを前記ナットに螺合することにより、前記押え部材を什器本体の上面に固定したことを特徴としている。
この特徴によれば、押え部材は、什器本体の上面を構成する部材の下方から固定ねじにより固定され、押え部材の上面には、それを什器本体の上面に固定するためのねじ等が露呈しないので、体裁がよくなる。
【００１３】
本発明の天板の高さ調節装置は、
什器本体の上面に、操作部材の下端部が回動可能に嵌合される凹孔を設けたことを特徴としている。
この特徴によれば、操作部材を、什器本体の上面に、簡単に位置決めして載置することができるとともに、操作部材が位置ずれするのが確実に防止される。
【００１４】
本発明の天板の高さ調節装置は、
操作部材に設けた軸孔の上端部を、非円形とし、この非円形の軸孔に回り止めして嵌合したナットを、雌ねじ部としたことを特徴としている。
この特徴によれば、操作部材の軸孔の上端部を非円形とし、この非円形の軸孔に、単にナットを回り止めして嵌合するだけで、調整軸が螺合される雌ねじ部としうるので、操作部材に、上下方向に長い雌ねじ孔を設ける必要がなく、加工コストが削減される。
【図面の簡単な説明】
【００１５】
【図１】本発明の一実施例を備える物品収納什器と、それに付帯して使用されるテーブルの斜視図である。
【図２】物品収納什器の正面図である。
【図３】同じく、平面図である。
【図４】図３のIV−IV線に沿う拡大縦断側面図である。
【図５】図４の一部の拡大断面図である。
【図６】図５の状態から、天板の高さを高くしたときの断面図である。
【発明を実施するための形態】
【００１６】
本発明に係る天板の高さ調節装置を実施するための形態を実施例に基づいて以下に説明する。
【実施例】
【００１７】
実施例に係る天板の高さ調節装置につき、図１から図６を参照して説明する。図１は、本発明の天板の高さ調節装置を備える物品収納什器１と、それに付帯して設置されたテーブル２との斜視図、図２は、物品収納什器の正面図、図３は、同じく平面図である。
【００１８】
物品収納什器１は、前面が開口され、下面の四隅部にキャスタ３が取り付けられた横長箱状の什器本体４と、その上面板５の上方に位置するように、この上面板５の上面により、前後左右の４個の高さ調節装置６を介して高さ調節可能に支持された天板７とからなっている。天板７の左右寸法は、什器本体４の左右寸法を二分する寸法よりも若干大とされ、同じく前後寸法は、上面板５の前後寸法よりも若干大とされ、天板７は、その前端を上面板５の前端と整合させ、後端部が上面板５の後方に若干突出するようにして、上面板５により支持されている。
【００１９】
図４の断面図、及び図５の拡大断面図に示すように、天板７の四隅部の下面を支持する各高さ調節装置６は、上下方向を向く４個の調整軸８と、４個の操作部材９と、それらを保持する左右２個の押え部材１０とを備えている。調整軸８の上端部を除く外周面には、雄ねじ１１が形成されている。調整軸８の上端部は、取付板１２を貫通して、この取付板１２に溶接等により固着されている。
【００２０】
調整軸８における取付板１２より突出する上端部を、天板７の四隅部の下面に設けた上向きの凹孔１３に嵌合させて、取付板１２を複数の皿ねじ１４により天板７の下面に固定することにより、各調整軸８は、天板７の四隅部の下面に下向きに取り付けられている。
【００２１】
操作部材９は、中心部に調整軸８挿通用の上下方向を向く軸孔１５が貫設され、かつ外周面に滑り止め加工が施された縦長円筒形をなし、下端部は、短寸の小径筒部１６となっている。軸孔１５の上端部は、拡径された六角形等の非円形孔１５ａとされ、この非円形孔１５ａには、その深さとほぼ等しい上下寸法のナット１７が、回り止めされて嵌合されている。
【００２２】
各操作部材９の小径筒部１６は、上面板５における各調整軸８と対向する上面に形成された凹孔１８に回転可能に嵌合されている。これにより、各操作部材９は、上面板５の上面に位置決めされて回転自在に載置されている。
【００２３】
左右の押え部材１０、１０は、前後に対向する操作部材９、９間の離間寸法よりも僅かに短寸の前後方向に長い水平片１９と、その前後両端より起立する側面視前向き倒立Ｌ字状及び後向き倒立Ｌ字状断面をなす押さえ片２０、２０とを備えている。前後の押さえ片２０、２０の上下寸法は、その水平をなす上片２０ａ、２０ａの下面が、前後の操作部材９、９の上面に近接または軽く接触しうる寸法とされている。前後の上片２０ａには、前後の調整軸８、８が挿通可能な挿通孔２１が穿設されている。
【００２４】
水平片１０における前後両端部の下面には、ナット２２、２２が溶接等により固着され、両ナット２２を、それと対向するようにして、上面板５の上面に形成された凹孔２３、２３に嵌合することにより、水平片１０の下面が上面板５の上面に密着するようにしてある。前後の凹孔２３、２３の下方の上面板５には、貫通孔２４、２４が、凹孔２３と連通するように穿設され、上面板５の下方より両貫通孔２４に挿入した手回し可能な固定ねじ２５、２５（ユリアネジ）の上端部は、前記ナット２２、２２に螺合されるようになっている。
【００２５】
次に、高さ調節装置６の組付手順について説明する。まず、天板７の下面に固定した４個の調整軸８のうち、前後に対向する２個の調整軸８、８に、それぞれ、押え部材１０の両端部の前方及び後方を向く上片２０ａ、２０ａを、それらの挿通孔２１を通して挿入し、押え部材１０における水平片１９の前後の端部下面に固着したナット２２を、上面板５の前後の凹孔２３に嵌合する。
【００２６】
次いで、各調整軸８の雄ねじ１１に、操作部材９のナット１７を、調整軸８の下端が軸孔１５より突出しない任意の位置まで下方より螺合する。
【００２７】
次いで、各操作部材９の下端部の小径筒部１６を、上面板５の凹孔１８に嵌合することにより、上面板１６に操作部材９を回転自在に載置する。
【００２８】
次いで、上面板５の貫通孔２４に下方より挿入した固定ねじ２５、２５の上端部を、押え部材１０の水平片１９の前後のナット２２、２２に螺合して締め付ける。これにより、押え部材１０は、前後の操作部材９、９間において上面板５の上面に固定されるとともに、前後の上片２０ａ、２０ａの下面が、前後の操作部材９、９の上面に近接または接触することにより、操作部材９及びそれに螺合された調整軸８の浮き上がりが防止され、上面板５の上面に保持される。
【００２９】
図４及び図５は、天板７の高さがほぼ下限位置にある状態を示しているが、この状態から、天板７の高さを高くするには、各操作部材９を平面視において時計回りに均等に回転させればよい。すると、図６に示すように、調整軸８が操作部材９に対し上方に移動することにより、天板７の高さが高く調節される。天板７の高さを低くしたいときには、操作部材９を平面視反時計回りに回転させればよい。従って、物品収納什器１の天板７の高さを、それに付帯して使用されるテーブル２等の什器の天板の高さに容易に整合させることができる。
【００３０】
なお、図３に示すように、什器本体４の上面板５の左側端部と中央部付近には、操作部材９の下端部の小径筒部１６が嵌合される予備の４個の凹孔１８が設けられ、天板７を左右勝手違いとして使用したいときでも、高さ調節装置６を装着しうるようになっている。これらの予備の凹孔１８，２３は、着脱可能なカバー２６により体裁よく塞がれている。
【００３１】
より詳述すると、本実施例では、天板７が物品収納什器１の上面板５における右方側寄りに設けられているが、天板７を物品収納什器１の上面板５における左方側寄りに設けることもできる。この天板７の配置換えを行う際には、先ず、上面板５に取り付けられたカバー２６を外して予備の凹孔１８，２３を開放させる。
【００３２】
また、上面板５の下方側から固定ねじ２５の摘みを回して取り外すことで、天板７と調整軸８と操作部材９と押え部材１０をまとめて上面板５から外せるようになっている。次に、天板７の配置を上面板５における左方側寄りに変更し、押え部材１０を予備の凹孔１８，２３に対応する配置にして、上面板５の下方側から固定ねじ２５を貫通孔２４に挿通し、固定ねじ２５を押え部材１０のナット２２に螺合させる（図４参照）。
【００３３】
以上説明したように、本実施例の高さ調節装置６においては、什器本体４の上面板５の凹孔１８に下端部を嵌合して載置された操作部材９を回転させるだけで、その上下方向の軸孔１５に遊嵌され、かつナット１７に螺合した調整軸８が、操作部材９に対し上下動して、天板７の高さが調節されるので、従来のように、什器本体４の上面板５に、調整軸８嵌合用の深い支持孔等を加工したり、上面板５の厚さを大としたりする必要がなく、コスト低減が図れる。更に、操作部材９は、押え部材１０に保持された部位以外の部位が大きく露出するようになり、指による操作部材９の回動操作性が向上する。
【００３４】
また、前後に対向する操作部材９及びそれに螺合された調整軸８は、上面板５に固定された押え部材１０の前後の上片２０ａにより同時に、かつ確実に保持されるので、天板７を什器本体４に安定的に支持することができる。
【００３５】
さらに、前後に対向する操作部材９、９は、それらの上面が押え部材１０における前方及び後方を向く上片２０ａ、２０ａにより押さえられて保持され、両操作部材９の外周面が大きく露出しているので、指による操作部材９の回動操作性が向上する。また、押え部材１０の固定部位である水平片１９は、上片２０ａから離間して物品収納什器１の上面板５に固定されるため、操作部材９を操作しても、操作者の指が水平片１９に不用意に触れる虞がなくなり、押え部材１０が外れる虞がなくなる。
【００３６】
操作部材９の上端部にナット１７を嵌合し、このナット１７に調整軸８の雄ねじ１１を螺合しているので、操作部材９全体に上下方向に長い雌ねじ孔を設ける必要がなく、加工コストが削減される。
【００３７】
押え部材１０は、その下面に固着したナット２２に、上面板５の下方から挿入した固定ねじ２５を螺合することにより、上面板５の上面に固定されているので、押え部材１０の上面にねじが露呈せず、体裁がよくなる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、操作部材９の位置決めを容易としたり、位置ずれを防止したりするために、上面板５に凹孔１８を設けて、この凹孔１８に、操作部材９の下端部の小径筒部１６を嵌合しているが、このような凹孔１８を設けないで、フラットな下面とした操作部材９を、単に上面板５の上面に載置するのみでもよい。
【００４０】
また、前記実施例では、前後に対向する操作部材９の上面を、前後方向の押え部材１０により保持しているが、左右に対向する操作部材９を、左右方向を向くように上面板５に固定した押え部材における両側端部の上片により保持するようにしてもよい。
【符号の説明】
【００４１】
１                物品収納什器
２                テーブル
３                キャスタ
４                什器本体
５                上面板
６                高さ調節装置
７                天板
８                調整軸
９                操作部材
１０              押え部材
１１              雄ねじ
１２              取付板
１３              凹孔
１４              皿ねじ
１５              軸孔
１５ａ            非円形孔
１６              小径筒部
１７              ナット
１８              凹孔
１９              水平片
２０              押さえ片
２０ａ            上片
２１              挿通孔
２２              ナット
２３              凹孔
２４              貫通孔
２５              固定ねじ
２６              カバー
【図１】
0005391032.tif 000002
【図２】
0005391032.tif 000003
【図３】
0005391032.tif 000004
【図４】
0005391032.tif 000005
【図５】
0005391032.tif 000006
【図６】
0005391032.tif 000007